(57)【要約】【課題】従来よく見られる動物のデザインをしたシャボン玉容器は、その手、足、うろこ、翼などが立体的でなく、表面も細かい模様が施されていない。さらに、吹き出し成型なので、材質の厚みが表現できず、デザイン上数々の制限があり、なかなかリアルで精巧なものはできない。したがって、このタイプの製品はだんだん飽きが来て、消費者を引き付けることができなくなるといった欠点がある。【解決手段】本発明シャボン玉器具は、内部容器が瓶の外部にある装飾体に覆われていて、外からは見えないようになっている。外側を覆う装飾体は、厚みを持たせたりして変化をつけることができ、立体的で本物に近いリアル感を出すことができる。外部の装飾体があることで、シャボン玉容器であるという実体が容易に気づかれないので、製品に目新しさがある。また、シャボン玉液を使い終わっても、捨てずに、装飾品として使用が可能である。【選択図】　　図３
2004016644.tif 000002
【特許請求の範囲】
【請求項１】
内部容器の開口部にシャボン玉液をつける棒が取り付けられていて、
内部容器の瓶の外部は、外部装飾部分に覆われていて、その内部容器は中が空洞の密閉状で、開口部があり、開口部は外部装飾部分の外部と連なっていて、シャボン玉液をつける棒の取り出し用つまみに接続しているものの、外部装飾部分には覆われていず、外部装飾部分が内部容器を覆っているため、内部容器は外部装飾部分の内部に内蔵される形になり、外観上は容易に内部容器が見えないようになっていて、外部装飾部分は精巧で実物に近く、その上、外部装飾部分の外側にある取り出し用つまみによって、シャボン玉液をつける棒を取り出して、シャボン玉遊びが可能であるという、特徴を持つ外部装飾のある内蔵式シャボン玉器具。
【請求項２】
その内部容器が中が空洞の密閉状の瓶で、瓶の一端が外部装飾部分に連なる開口部になっているという特徴を持つ、請求項１に記載の外部装飾のある内蔵式シャボン玉器具。
【請求項３】
その内部容器が中が空洞の密閉状の管状の部分で、管の一端が外部装飾部分に連なる開口部になっているという特徴を持つ、請求項１に記載の外部装飾のある内蔵式シャボン玉器具。
【請求項４】
その外部装飾部分が固定式で内部容器の外側を覆っているという特徴を持つ、請求項１に記載の外部装飾のある内蔵式シャボン玉器具。
【請求項５】
その外部装飾部分が矯めが利く状態で内部容器の外側を覆っているという特徴を持つ、請求項１に記載の外部装飾のある内蔵式シャボン玉器具。
【発明の詳細な説明】
【０００１】
【発明の属する技術分野】
本発明は内蔵式のシャボン玉器具に関する。本発明のシャボン玉器具は、内部容器が外部装飾部分の内部にあって、外から見ると、本物に似せた装飾品で、シャボン玉器具であることはわからない。
【０００２】
【従来の技術】
図１を参照いただきたい。一般に市販されているシャボン玉器具はシャボン玉容器１０’は、吹き出し成型によって、中が空洞になったシャボン玉容器１０’を成型し、シャボン玉容器１０’の上にビンの口１０１’があり、シャボン玉液をつける棒２０’が入るようになっている。シャボン玉容器の外観に美観を持たせるために、シャボン玉容器１０’の外側に各種のデザインが施されていて、消費者の購買欲をそそっている。
【０００３】
【発明が解決しようとする課題】
しかしながら、従来よく見られる動物のデザインをしたシャボン玉容器１０’は、その手、足、うろこ、翼などが立体的でなく、表面も細かい模様が施されていない。さらに、吹き出し成型なので、材質の厚みが表現できず、デザイン上数々の制限があり、なかなかリアルで精巧なものはできない。したがって、このタイプの製品はだんだん飽きが来て、消費者を引き付けることができなくなるといった欠点がある。
【０００４】
【課題を解決するための手段】
本発明シャボン玉器具は、内部容器が瓶の外部にある装飾体に覆われていて、外からは見えないようになっている。外側を覆う装飾体は、厚みを持たせたりして変化をつけることができ、立体的で本物に近いリアル感を出すことができる。外部の装飾体があることで、シャボン玉容器であるという実体が容易に気づかれないので、製品に目新しさがある。また、シャボン玉液を使い終わっても、捨てずに、装飾品として使用が可能である。
【０００５】
【発明の実施の形態】
図２から図５を参照いただきたい。キャンディー型シャボン玉容器の実施例で説明する。本発明のシャボン玉器具は、内部容器１、シャボン玉液をつける棒２、外部装飾部分１０からなる。その内部容器１の中にはシャボン玉液が入っている。シャボン玉液をつける棒２のリング部分はひし形をしていて、開口部１１１にシャボン玉液をつける棒２が入りやすいようになっている。取り出すと、シャボン玉液をつける棒２は大きな環を作り、大きなシャボン玉を作れるようになっている。
【０００６】
内部容器１の瓶の外部は、外部装飾部分１０、２０に覆われている。シャボン玉液をつける棒２が取り出しやすいように、外部装飾部分１０、２０の外側には、シャボン玉液をつける棒２の取り出し用つまみ２１が出ている。その外部装飾部分１０、２０は樹脂、アクリル、ＰＶＣ等の材質でできていて、外部装飾部分１０は豊富な色彩を施すことが可能である。内部容器１は外部装飾部分１０、２０の内部に隠されていて、外からは内部容器１が容易に見えないようになっている。その内部容器１は中が空洞の密閉状で、瓶１１及び開口部１１１がある。開口部１１１は瓶１１の一端にあって、外部装飾部分１０、２０の外部と連なっている。そして、シャボン玉液をつける棒２の取り出し用つまみ２１に接続している。しかし、外部装飾部分１０、２０には覆われていない。
【０００７】
図６を参照いただきたい。外部装飾部分３０はさらに装飾を施してある。コップの中には色鮮やかなゼリー状の立体装飾部分３０１がある。そのゼリー状の立体装飾部分３０１によって、内部容器１が覆われている。ゼリー状の立体装飾部分３０１の上方及び下方には、フルーツ、ビスケット、キャンディー等の装飾品を配置してもよい。内部容器１の開口部１１１上にあるシャボン玉液をつける棒２はその取り出し用つまみ２１を上述の装飾品に換えてもよい。内部容器１はすでに外部装飾部分３０に隠されているので、シャボン玉で遊ぶ以外にも、装飾品としての価値も高い。
【０００８】
図７、図８、図９、図１４を参照いただきたい。この四つの実施例は、全て外部装飾部分４０、５０、６０、１００内部に、内部容器１が設置されている。内部容器１は瓶１１及び開口部１１１がある。シャボン玉液をつける棒２の取り出し用つまみ２１は、魚、アヒルの頭、恐竜の頭、及び、葉っぱなどのデザインが適している。そして、取り出し用つまみ２１を開口部１１１に結合させると、外観上、容易にはシャボン玉容器だとはわからない。動物のデザインの場合、その表面の立体装飾部分４０１、５０１、６０１の細かいひれの模様、羽毛、手足、うろこ等、全てはっきり表現できるので、立体感溢れるリアルなデザインにすることができる。図１４に示したのは、楓型のデザインである。葉柄部分の取り出し用つまみ２１にネックレスを取り付けると、首からかけることが可能である。
【０００９】
図１０を参照いただきたい。これは魚の頭の形をした外部装飾部分７０である。その外部装飾部分７０の体の部分は、可動式の節状パーツ７０１である。その節上パーツ７０１は、中が空洞なので、頭の部分に内部容器１’を設置することができる。その内部容器１’の管状の部分１１’は外部装飾部分７０の節状パーツ７０１の細長い形状に沿った長い管状をしている。そして、外部装飾体７０の口の部分には、開口部１１１’があって、シャボン玉液をつける棒２’の取り出し用つまみ２１’が入るようになっている。全体のデザインはおもしろく、可愛い上、外部装飾部分７０は外側を覆うようになっているので、従来のシャボン玉容器の外観上の制限を受けない。また、外部装飾部分は厚みを持たせて立体感を出し、リアルさを表現している。図１１に示したのは、蛇型のデザインで、外部装飾部分８０に、節状パーツ８０１構造を採用している。その内部容器１’は中が空洞の密閉状の管状の部分１１’、及び、開口部１１１’があり、開口部１１１’は外部に連なっていて、シャボン玉液をつける棒２’の取り出し用つまみ２１’に接続し、外部装飾部分８０には覆われていない。
【００１０】
図１２、図１３を参照いただきたい。これは矯めることが可能な扁平型をした魚のデザインを採用した外部装飾部分９０である。その外部装飾部分９０の体の部分は、矯めが利く材質によって作られている。外部装飾部分９０に内蔵された内部容器１には、外部装飾部分９０の扁平状に符合した、扁平状の瓶１１がある。そして、外部装飾部分９０の口の部分には開口部１１があり、シャボン玉液をつける棒２の取り出し用つまみ２１と結合して、内部容器１内のシャボン玉液が外に漏れないようになっている。
【００１１】
したがって、本発明のシャボン玉器具の外部装飾部分は、固定式で内部容器の外側を覆う形式（例えば、図２から図９、及び、図１４の実施例）でも、また、矯めが利く弾力を持った状態で内部容器の外側を覆う形式（例えば、図１０から図１３の実施例）でもよい。さらに、上述の説明でも明らかなように、本発明のシャボン玉器具は、外部装飾部分が精巧で実物に似せてある上、外見上、シャボン玉容器であることが容易に判別できないので、シャボン玉器具として遊びに使用する以外、装飾品としても使用できるので商品価値が高い。
【００１２】
【発明の効果】
本発明のシャボン玉器具は、内部容器が瓶の外部にある装飾体に覆われていて、外からは見えないようになっている。外側を覆う装飾体は、厚みを持たせたりして変化をつけることができ、立体的で本物に近いリアル感を出すことができる。外部の装飾体があることで、シャボン玉容器であるという実体が容易に気づかれないので、製品に目新しさがある。
また、外部装飾が精巧で美しいので、シャボン玉液を使い終わっても、捨てずに、装飾品として使用が可能である。
さらに、外部装飾部分は、豊富な色彩と厚みを持たせた立体的なデザインが可能なので変化が自在で、おもちゃ、キャンディー、動物、植物等、さまざまなデザインが可能で、リアル感溢れる形にすることができる。
【図面の簡単な説明】
【図１】従来のシャボン玉器具の立体外観図である。
【図２】本発明のシャボン玉器具の立体外観図である。
【図３】本発明のシャボン玉器具の、内部構造の分解図である。
【図４】図２の本体部分の、上から見た横断面の平面図である。
【図５】本発明のシャボン玉器具の、もう一つの形式の立体外観図である。
【図６】本発明のシャボン玉器具の、ゼリー状食品のデザインを採用した実施例である。
【図７】本発明のシャボン玉器具の、魚のデザインを採用した実施例である。
【図８】本発明のシャボン玉器具の、アヒルの頭のデザインを採用した実施例である。
【図９】本発明のシャボン玉器具の、恐竜のデザインを採用した実施例である。
【図１０】本発明のシャボン玉器具の、魚の骨のデザインを採用した実施例である。
【図１１】本発明のシャボン玉器具の、蛇のデザインを採用した実施例である。
【図１２】本発明のシャボン玉器具の、矯めが利く扁平型の魚のデザインを採用した実施例を正面から見た平面図である。
【図１３】図１２に示した魚を矯めた状態で前から見た図である。
【図１４】本発明のシャボン玉器具の、楓の葉のデザインを採用した実施例である。
【符号の説明】
１、１’　　内部容器
１１　　　　瓶
１１１、１１１’開口部
１１’　　　管状の部分
２、２’　　シャボン玉液をつける棒
２１、２１’　取り出し用つまみ
１０、２０、３０、４０、５０、６０、７０、８０、９０、１００　　　外部装飾部分
１０１、２０１、３０１、４０１、５０１、６０１　　　　　　　　　　　　立体装飾部分
７０１、８０１　　節状パーツ
【図１】
2004016644.tif 000003
【図２】
2004016644.tif 000004
【図３】
2004016644.tif 000005
【図４】
2004016644.tif 000006
【図５】
2004016644.tif 000007
【図６】
2004016644.tif 000008
【図７】
2004016644.tif 000009
【図８】
2004016644.tif 000010
【図９】
2004016644.tif 000011
【図１０】
2004016644.tif 000012
【図１１】
2004016644.tif 000013
【図１２】
2004016644.tif 000014
【図１３】
2004016644.tif 000015
【図１４】
2004016644.tif 000016